(57)【要約】【課題】本発明は安全保護機能を持つ浴室おもちゃを開示した。【解決手段】安定器を含み、まずシートの位置を調整し、ノブを回す；本装置はサイズが異なる湯船の内壁に固定されることができ、また子供の肥痩により座席の間の距離を調節でき、子供をしっかりと席に固定し、子供が転んだり傷ついたりすることを防止でき、それと同時に水噴き出し装置は子供により多くな娯楽をもたらし、それにより子供がお風呂に入る時に楽しく遊び、本装置は機械の伝動係合により、ミスする可能性を下げる。【選択図】図１
2020151437.tif 000002
【特許請求の範囲】
【請求項１】
安定器を含み、前記安定器の中には駆動空間が設置され、前記駆動空間の左右端壁には働き溝が対称的に設置され、左端の前記働き溝の右端壁には連通溝が設置され、前記連通溝の右端壁には回転空間が設置され、前記回転空間と前記駆動空間との中には固定装置が対称的に設置され、前記固定装置は主軸と吸盤とを含み、前記主軸が回転し前記吸盤を連動させて外へ移動させ、それにより前記安定器を湯船と固定し、前記駆動空間と前記回転空間の左右端壁にはそれぞれプッシュブロックスライド溝が対称的に設置され、前記プッシュブロックスライド溝の左右端壁には吸盤溝が対称的に設置され、前記吸盤溝が外界と連通され、前記駆動空間と前記回転空間との間には働き空間が設置され、前記働き空間の中には座席装置が設置され、前記座席装置は座席を含み、前記座席装置が前記座席を通じて座席の位置を調整し、前記座席の左右端壁には前記働き溝と連通される矩形スライド溝が対称的に設置され、前記安定器の上端面には外界と連通される斜め溝が設置され、前記斜め溝の左端壁には押出器溝が設置され、前記押出器溝の左端壁にはそれぞれ水排出導管と水入り導管とが設置され、前記押出器溝と前記斜め溝との中には水噴き出し装置が設置され、前記水噴き出し装置は押出器を含み、前記押出器の押出により水を前記水入り導管を通して吸い込み、前記水排出導管から噴き出すことを特徴とする安全保護機能を持つ浴室おもちゃ。
【請求項２】
前記固定装置は二つがあり、且つ上下に対称的に設置され、上端のを例として説明し、前記主軸と前記駆動空間の上下端壁とが回転できるように係合連結され、前記主軸の上下にあるねじ山が対称で反対であり、前記主軸にはねじ山ブロックが上下対称的にねじ山によって係合連結され、前記ねじ山ブロックの前端面にはヒンジ連結レバーが左右対称的に設置され、前記ヒンジ連結レバーには連接レバーがヒンジによって連結され、前記連接レバーのもう一端にはそれぞれ連接回転軸が回転できるように係合連結され、左右両端の前記連接回転軸にはそれぞれプッシュブロックスライド溝が固定的に連結され、前記プッシュブロックスライド溝のうち前記プッシュブロックスライド溝から離れている一端には伸縮器が設置され、前記伸縮器と前記プッシュブロックスライド溝とがスライドできるように係合連結され、前記伸縮器の中にはバネ溝が設置され、前記バネ溝の中にはバネレバーがスライドできるように係合連結され、前記バネレバーと前記バネ溝との間には戻しバネが連結され、前記バネレバーのもう一端には自在継手が設置され、前記自在継手には自在継手ブロックがスライドできるように係合連結され、前記自在継手ブロックのもう一端と前記吸盤とが固定的に連結され、その中に上端の前記主軸には頂端プーリが上下対称的に設置され、下端の前記主軸の上端には底端プーリが設置され、下端の前記主軸が下へ伸びており、前記回転空間の下端壁を貫通し外界に入り、且つ前記安定器の下端面と回転できるように係合連結され、下端の前記主軸の底端にはノブが設置され、二つの前記働き溝の上下端壁には縦軸が回転できるように係合連結され、前記縦軸の上端には縦軸上プーリが設置され、その中に左端の前記縦軸上プーリと下端の前記頂端プーリとの間には回転ベルトが連結され、その中に右端の前記縦軸上プーリと上端の前記頂端プーリとが前記回転ベルトにより連結され、前記縦軸の中端には縦軸傘歯車が設置され、その中に左端の前記縦軸の下端には縦軸下プーリが設置され、前記縦軸下プーリと前記底端プーリとの間には下プーリが連結され、前記ノブを回転し前記ねじ山ブロックを連動させ互いに近づかせ、それにより前記吸盤を押し出して湯船に吸着させ、その作用は前記安定器を固定するのであることを特徴とする請求項１に記載の安全保護機能を持つ浴室おもちゃ。
【請求項３】
前記座席装置は座席板を含み、前記座席板と前記働き空間の下端面とが固定的に連結され、前記座席板の前端面には席スライド溝が設置され、前記席スライド溝の中には席スライドブロックがスライドできるように係合連結され、前記席スライドブロックと前記座席とが固定的に連結され、前記矩形スライド溝の中には矩形スライドブロックがスライドできるように係合連結され、前記矩形スライドブロックの中には親ねじがねじ山によって係合連結され、前記親ねじのもう一端には親ねじ傘歯車が設置され、前記親ねじ傘歯車と前記縦軸傘歯車とが噛み合い、二つの前記親ねじのねじ山が反対であり、前記矩形スライドブロックのうち前記働き空間に近接する一端には固定ヘッドが設置され、前記固定ヘッドが前記座席を固定することに用いられ、前記縦軸が回転し前記固定ヘッドを連動させ前記座席に近づかせ、最後に前記座席を前後に移動できないように固定し、その作用は前記座席を固定するのであることを特徴とする請求項１に記載の安全保護機能を持つ浴室おもちゃ。
【請求項４】
前記水噴き出し装置はサポートロッドを含み、前記サポートロッドと前記安定器の上端面とが固定的に連結され、前記サポートロッドの前後端面には回転盤軸が回転できるように係合連結され、前記回転盤軸の右端面には回転盤が設置され、前記回転盤軸の左端面には回転盤プーリが設置され、前記斜め溝の左右端壁にはカム軸が回転できるように係合連結され、前記カム軸の右端にはカム軸プーリが設置され、前記カム軸プーリと前記回転盤プーリには制御ベルトが連結され、前記カム軸の左端にはカムが設置され、前記押出器と前記押出器溝の前端壁とが固定的に連結され、前記水排出導管と前記水入り導管との間には逆止弁装置が中心として対称的に設置され、、前記水排出導管のを例として説明し、前記水排出導管の上下端壁には逆止板が設置され、前記逆止板の右端面には逆止ロッドが設置され、前記逆止ロッドの右端には逆止ボールが設置され、前記逆止ボールと前記逆止ロッドとの間には逆止バネが連結され、前記水排出導管の上下端壁には仕切り板が対称的に設置され、その中に前記水排出導管の中にある前記逆止ボールが作動しない場合に前記仕切り板と当接し、前記水入り導管の前記逆止ボールが前記仕切り板と当接しなく、前記水排出導管の上端面には水噴き出しヘッドが設置され、その作用は水を噴き出すことで子供に遊ばれるのであることを特徴とする請求項１に記載の安全保護機能を持つ浴室おもちゃ。
【発明の詳細な説明】
【技術分野】
【０００１】
本発明は子供のおもちゃ分野に関わり、具体的には安全保護機能を持つ浴室おもちゃである。
【背景技術】
【０００２】
今まで、二人の子供がいる家庭は多くなるに連れて、子供がますます多くなり、子供用品の発展も速やかになり、子供は湯船でお風呂に入る時、多くのおもちゃを遊び、しかし伝統的な湯船は子供の安全を保護する措置がなく、子供が一人で湯船の中で遊ぶ時に負傷しやすい。
【先行技術文献】
【特許文献】
【０００３】
【特許文献１】中国特許出願公開第102441282号明細書
【発明の概要】
【発明が解決しようとする課題】
【０００４】
本発明は安全保護機能を持つ浴室おもちゃを提供し、上記背景技術にある問題を解決することを目的とする。
【課題を解決するための手段】
【０００５】
上記の目的を実現するため、本発明は以下の技術方案を提供する：安全保護機能を持つ浴室おもちゃは安定器を含み、前記安定器の中には駆動空間が設置され、前記駆動空間の左右端壁には働き溝が対称的に設置され、左端の前記働き溝の右端壁には連通溝が設置され、前記連通溝の右端壁には回転空間が設置され、前記回転空間と前記駆動空間との中には固定装置が対称的に設置され、前記固定装置は主軸と吸盤とを含み、前記主軸が回転し前記吸盤を連動させて外へ移動させ、それにより前記安定器を湯船と固定し、前記駆動空間と前記回転空間の左右端壁にはそれぞれプッシュブロックスライド溝が対称的に設置され、前記プッシュブロックスライド溝の左右端壁には吸盤溝が対称的に設置され、前記吸盤溝が外界と連通され、前記駆動空間と前記回転空間との間には働き空間が設置され、前記働き空間の中には座席装置が設置され、前記座席装置は座席を含み、前記座席装置が前記座席を通じて座席の位置を調整し、前記座席の左右端壁には前記働き溝と連通される矩形スライド溝が対称的に設置され、前記安定器の上端面には外界と連通される斜め溝が設置され、前記斜め溝の左端壁には押出器溝が設置され、前記押出器溝の左端壁にはそれぞれ水排出導管と水入り導管とが設置され、前記押出器溝と前記斜め溝との中には水噴き出し装置が設置され、前記水噴き出し装置は押出器を含み、前記押出器の押出により水を前記水入り導管を通して吸い込み、前記水排出導管から噴き出す。
【０００６】
好ましくは、前記固定装置は二つがあり、且つ上下に対称的に設置され、上端のを例として説明し、前記主軸と前記駆動空間の上下端壁とが回転できるように係合連結され、前記主軸の上下にあるねじ山が対称で反対であり、前記主軸にはねじ山ブロックが上下対称的にねじ山によって係合連結され、前記ねじ山ブロックの前端面にはヒンジ連結レバーが左右対称的に設置され、前記ヒンジ連結レバーには連接レバーがヒンジによって連結され、前記連接レバーのもう一端にはそれぞれ連接回転軸が回転できるように係合連結され、左右両端の前記連接回転軸にはそれぞれプッシュブロックスライド溝が固定的に連結され、前記プッシュブロックスライド溝のうち前記プッシュブロックスライド溝から離れている一端には伸縮器が設置され、前記伸縮器と前記プッシュブロックスライド溝とがスライドできるように係合連結され、前記伸縮器の中にはバネ溝が設置され、前記バネ溝の中にはバネレバーがスライドできるように係合連結され、前記バネレバーと前記バネ溝との間には戻しバネが連結され、前記バネレバーのもう一端には自在継手が設置され、前記自在継手には自在継手ブロックがスライドできるように係合連結され、前記自在継手ブロックのもう一端と前記吸盤とが固定的に連結され、その中に上端の前記主軸には頂端プーリが上下対称的に設置され、下端の前記主軸の上端には底端プーリが設置され、下端の前記主軸が下へ伸びており、前記回転空間の下端壁を貫通し外界に入り、且つ前記安定器の下端面と回転できるように係合連結され、下端の前記主軸の底端にはノブが設置され、二つの前記働き溝の上下端壁には縦軸が回転できるように係合連結され、前記縦軸の上端には縦軸上プーリが設置され、その中に左端の前記縦軸上プーリと下端の前記頂端プーリとの間には回転ベルトが連結され、その中に右端の前記縦軸上プーリと上端の前記頂端プーリとが前記回転ベルトにより連結され、前記縦軸の中端には縦軸傘歯車が設置され、その中に左端の前記縦軸の下端には縦軸下プーリが設置され、前記縦軸下プーリと前記底端プーリとの間には下プーリが連結され、前記ノブを回転し前記ねじ山ブロックを連動させ互いに近づかせ、それにより前記吸盤を押し出して湯船に吸着させ、その作用は前記安定器を固定するのである。
【０００７】
好ましくは、前記座席装置は座席板を含み、前記座席板と前記働き空間の下端面とが固定的に連結され、前記座席板の前端面には席スライド溝が設置され、前記席スライド溝の中には席スライドブロックがスライドできるように係合連結され、前記席スライドブロックと前記座席とが固定的に連結され、前記矩形スライド溝の中には矩形スライドブロックがスライドできるように係合連結され、前記矩形スライドブロックの中には親ねじがねじ山によって係合連結され、前記親ねじのもう一端には親ねじ傘歯車が設置され、前記親ねじ傘歯車と前記縦軸傘歯車とが噛み合い、二つの前記親ねじのねじ山が反対であり、前記矩形スライドブロックのうち前記働き空間に近接する一端には固定ヘッドが設置され、前記固定ヘッドが前記座席を固定することに用いられ、前記縦軸が回転し前記固定ヘッドを連動させ前記座席に近づかせ、最後に前記座席を前後に移動できないように固定し、その作用は前記座席を固定するのである。
【０００８】
好ましくは、前記水噴き出し装置はサポートロッドを含み、前記サポートロッドと前記安定器の上端面とが固定的に連結され、前記サポートロッドの前後端面には回転盤軸が回転できるように係合連結され、前記回転盤軸の右端面には回転盤が設置され、前記回転盤軸の左端面には回転盤プーリが設置され、前記斜め溝の左右端壁にはカム軸が回転できるように係合連結され、前記カム軸の右端にはカム軸プーリが設置され、前記カム軸プーリと前記回転盤プーリには制御ベルトが連結され、前記カム軸の左端にはカムが設置され、前記押出器と前記押出器溝の前端壁とが固定的に連結され、前記水排出導管と前記水入り導管との間には逆止弁装置が中心として対称的に設置され、、前記水排出導管のを例として説明し、前記水排出導管の上下端壁には逆止板が設置され、前記逆止板の右端面には逆止ロッドが設置され、前記逆止ロッドの右端には逆止ボールが設置され、前記逆止ボールと前記逆止ロッドとの間には逆止バネが連結され、前記水排出導管の上下端壁には仕切り板が対称的に設置され、その中に前記水排出導管の中にある前記逆止ボールが作動しない場合に前記仕切り板と当接し、前記水入り導管の前記逆止ボールが前記仕切り板と当接しなく、前記水排出導管の上端面には水噴き出しヘッドが設置され、その作用は水を噴き出すことで子供に遊ばれるのである。
【発明の効果】
【０００９】
以上により、本発明の有益な効果は：本装置はサイズが異なる湯船の内壁に固定されることができ、また子供の肥痩により座席の間の距離を調節でき、子供をしっかりと席に固定し、子供が転んだり傷ついたりすることを防止でき、それと同時に水噴き出し装置は子供により多くな娯楽をもたらし、それにより子供がお風呂に入る時に楽しく遊び、本装置は機械の伝動係合により、ミスする可能性を下げる。
【図面の簡単な説明】
【００１０】
発明の実施例または既存の技術の中の技術方案をより詳しく説明できるため、下記には実施例または既存の技術を説明することに必要な付図に対して簡単な紹介を行い、明らかなように、下記の付図はただ発明の一部分の実施例であり、当業者にとって、創造的な労働を払わなくても、これらの付図に基づいて他の付図を獲得することができる。
【００１１】
【図１】図１は本発明の安全保護機能を持つ浴室おもちゃの全体断面の正面構成概略図である；
【図２】図２は本発明の図１の中のＢ−Ｂ方向の断面図である；
【図３】図３は本発明の図１の中Ａのところの部分拡大図である。
【発明を実施するための形態】
【００１２】
本説明書に開示したすべての特徴、または開示したすべての方法または過程中のステップは、互いに排斥する特徴と／またはステップ以外に、いずれもあらゆる方式で組み合わせることができる。
【００１３】
本説明書に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００１４】
下記に図１−３をあわせて本発明について詳しく説明し、便利に説明するために、下記の方向を以下のように規定する：以下に述べる上下左右前後の方向と図１の自身投影関係の上下左右前後の方向とが一致である。
【００１５】
図１−３を参照し、本発明の実施例は：安全保護機能を持つ浴室おもちゃは安定器１００を含み、前記安定器１００の中には駆動空間２１が設置され、前記駆動空間２１の左右端壁には働き溝４０が対称的に設置され、左端の前記働き溝４０の右端壁には連通溝３４が設置され、前記連通溝３４の右端壁には回転空間３７が設置され、前記回転空間３７と前記駆動空間２１との中には固定装置１０１が対称的に設置され、前記固定装置１０１は主軸５４と吸盤２４とを含み、前記主軸５４が回転し前記吸盤２４を連動させて外へ移動させ、それにより前記安定器１００を湯船と固定し、前記駆動空間２１と前記回転空間３７の左右端壁にはそれぞれプッシュブロックスライド溝４５が対称的に設置され、前記プッシュブロックスライド溝４５の左右端壁には吸盤溝２２が対称的に設置され、前記吸盤溝２２が外界と連通され、前記駆動空間２１と前記回転空間３７との間には働き空間２６が設置され、前記働き空間２６の中には座席装置１０２が設置され、前記座席装置１０２は座席２７を含み、前記座席装置１０２が前記座席２７を通じて座席の位置を調整し、前記座席２７の左右端壁には前記働き溝４０と連通される矩形スライド溝７７が対称的に設置され、前記安定器１００の上端面には外界と連通される斜め溝６７が設置され、前記斜め溝６７の左端壁には押出器溝６０が設置され、前記押出器溝６０の左端壁にはそれぞれ水排出導管５６と水入り導管５８とが設置され、前記押出器溝６０と前記斜め溝６７との中には水噴き出し装置１０３が設置され、前記水噴き出し装置１０３は押出器５９を含み、前記押出器５９の押出により水を前記水入り導管５８を通して吸い込み、前記水排出導管５６から噴き出す。
【００１６】
有益なように、前記固定装置１０１は二つがあり、且つ上下に対称的に設置され、上端のを例として説明し、前記主軸５４と前記駆動空間２１の上下端壁とが回転できるように係合連結され、前記主軸５４の上下にあるねじ山が対称で反対であり、前記主軸５４にはねじ山ブロック５３が上下対称的にねじ山によって係合連結され、前記ねじ山ブロック５３の前端面にはヒンジ連結レバー５２が左右対称的に設置され、前記ヒンジ連結レバー５２には連接レバー５１がヒンジによって連結され、前記連接レバー５１のもう一端にはそれぞれ連接回転軸５０が回転できるように係合連結され、左右両端の前記連接回転軸５０にはそれぞれプッシュブロックスライド溝４９が固定的に連結され、前記プッシュブロックスライド溝４９のうち前記プッシュブロックスライド溝４９から離れている一端には伸縮器４８が設置され、前記伸縮器４８と前記プッシュブロックスライド溝４５とがスライドできるように係合連結され、前記伸縮器４８の中にはバネ溝４４が設置され、前記バネ溝４４の中にはバネレバー４６がスライドできるように係合連結され、前記バネレバー４６と前記バネ溝４４との間には戻しバネ４７が連結され、前記バネレバー４６のもう一端には自在継手２３が設置され、前記自在継手２３には自在継手ブロック２５がスライドできるように係合連結され、前記自在継手ブロック２５のもう一端と前記吸盤２４とが固定的に連結され、その中に上端の前記主軸５４には頂端プーリ４１が上下対称的に設置され、下端の前記主軸５４の上端には底端プーリ３６が設置され、下端の前記主軸５４が下へ伸びており、前記回転空間３７の下端壁を貫通し外界に入り、且つ前記安定器１００の下端面と回転できるように係合連結され、下端の前記主軸５４の底端にはノブ５７が設置され、二つの前記働き溝４０の上下端壁には縦軸３９が回転できるように係合連結され、前記縦軸３９の上端には縦軸上プーリ４３が設置され、その中に左端の前記縦軸上プーリ４３と下端の前記頂端プーリ４１との間には回転ベルト４２が連結され、その中に右端の前記縦軸上プーリ４３と上端の前記頂端プーリ４１とが前記回転ベルト４２により連結され、前記縦軸３９の中端には縦軸傘歯車２８が設置され、その中に左端の前記縦軸３９の下端には縦軸下プーリ３３が設置され、前記縦軸下プーリ３３と前記底端プーリ３６との間には下プーリ３５が連結され、前記ノブ５７を回転し前記ねじ山ブロック５３を連動させ互いに近づかせ、それにより前記吸盤２４を押し出して湯船に吸着させ、その作用は前記安定器１００を固定するのである。
【００１７】
有益なように、前記座席装置１０２は座席板３８を含み、前記座席板３８と前記働き空間２６の下端面とが固定的に連結され、前記座席板３８の前端面には席スライド溝６１が設置され、前記席スライド溝６１の中には席スライドブロック６２がスライドできるように係合連結され、前記席スライドブロック６２と前記座席２７とが固定的に連結され、前記矩形スライド溝７７の中には矩形スライドブロック３１がスライドできるように係合連結され、前記矩形スライドブロック３１の中には親ねじ３０がねじ山によって係合連結され、前記親ねじ３０のもう一端には親ねじ傘歯車２９が設置され、前記親ねじ傘歯車２９と前記縦軸傘歯車２８とが噛み合い、二つの前記親ねじ３０のねじ山が反対であり、前記矩形スライドブロック３１のうち前記働き空間２６に近接する一端には固定ヘッド３２が設置され、前記固定ヘッド３２が前記座席２７を固定することに用いられ、前記縦軸３９が回転し前記固定ヘッド３２を連動させ前記座席２７に近づかせ、最後に前記座席２７を前後に移動できないように固定し、その作用は前記座席２７を固定するのである。
【００１８】
有益なように、前記水噴き出し装置１０３はサポートロッド６３を含み、前記サポートロッド６３と前記安定器１００の上端面とが固定的に連結され、前記サポートロッド６３の前後端面には回転盤軸６５が回転できるように係合連結され、前記回転盤軸６５の右端面には回転盤６４が設置され、前記回転盤軸６５の左端面には回転盤プーリ６６が設置され、前記斜め溝６７の左右端壁にはカム軸７０が回転できるように係合連結され、前記カム軸７０の右端にはカム軸プーリ７１が設置され、前記カム軸プーリ７１と前記回転盤プーリ６６には制御ベルト６８が連結され、前記カム軸７０の左端にはカム６９が設置され、前記押出器５９と前記押出器溝６０の前端壁とが固定的に連結され、前記水排出導管５６と前記水入り導管５８との間には逆止弁装置７９が中心として対称的に設置され、、前記水排出導管５６のを例として説明し、前記水排出導管５６の上下端壁には逆止板７３が設置され、前記逆止板７３の右端面には逆止ロッド７２が設置され、前記逆止ロッド７２の右端には逆止ボール７４が設置され、前記逆止ボール７４と前記逆止ロッド７２との間には逆止バネ７５が連結され、前記水排出導管５６の上下端壁には仕切り板７６が対称的に設置され、その中に前記水排出導管５６の中にある前記逆止ボール７４が作動しない場合に前記仕切り板７６と当接し、前記水入り導管５８の前記逆止ボール７４が前記仕切り板７６と当接しなく、前記水排出導管５６の上端面には水噴き出しヘッド５５が設置され、その作用は水を噴き出すことで子供に遊ばれるのである。
【００１９】
使用する時に、まず座席２７の位置を調節し、ノブ５７を回転させ、それにより下端の主軸５４と、底端プーリ３６と、縦軸下プーリ３３と、縦軸３９と、縦軸上プーリ４３と上端の主軸５４とを回転連動させ、それによりねじ山ブロック５３を二つずつ互いに近づかせ、それによりバネレバー４６と、自在継手２３と、自在継手ブロック２５と吸盤２４とを湯船の内壁まで押し出して固定し、そしてノブ５７を回転させ続け、縦軸傘歯車２８が親ねじ傘歯車２９と親ねじ３０とを回転連動させ、それにより矩形スライドブロック３１と固定ヘッド３２とを座席２７のところに移動させ、座席２７をきつく挟み、そして子供が座席２７に座って遊び、回転盤６４を回転させることにより、回転盤軸６５と、回転盤プーリ６６と、カム軸プーリ７１と、カム軸７０と、カム６９とを回転連動させ、押出器５９を絶え間なく押し、それにより水を水入り導管５８から押出器５９に吸入し、それから水排出導管５６と水噴き出しヘッド５５から噴き出す。
【００２０】
本発明の有益な効果は：本装置はサイズが異なる湯船の内壁に固定されることができ、また子供の肥痩により座席の間の距離を調節でき、子供をしっかりと席に固定し、子供が転んだり傷ついたりすることを防止でき、それと同時に水噴き出し装置は子供により多くな娯楽をもたらし、それにより子供がお風呂に入る時に楽しく遊び、本装置は機械の伝動係合により、ミスする可能性を下げる。
【００２１】
以上は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は請求項に限定した保護範囲を基準とするべきである。
【図１】
2020151437.tif 000003
【図２】
2020151437.tif 000004
【図３】
2020151437.tif 000005
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
安定器を含み、前記安定器の中には駆動空間が設置され、前記駆動空間の左右端壁には働き溝が対称的に設置され、左端の前記働き溝の右端壁には連通溝が設置され、前記連通溝の右端壁には回転空間が設置され、前記回転空間と前記駆動空間との中には固定装置が対称的に設置され、前記固定装置は主軸と吸盤とを含み、前記主軸が回転し前記吸盤を連動させて外へ移動させ、それにより前記安定器を湯船と固定し、前記駆動空間と前記回転空間の左右端壁にはそれぞれプッシュブロックスライド溝が対称的に設置され、前記プッシュブロックスライド溝の左右端壁には吸盤溝が対称的に設置され、前記吸盤溝が外界と連通され、前記駆動空間と前記回転空間との間には働き空間が設置され、前記働き空間の中には座席装置が設置され、前記座席装置は座席を含み、前記座席装置が前記座席を通じて座席の位置を調整し、前記座席の左右端壁には前記働き溝と連通される矩形スライド溝が対称的に設置され、前記安定器の上端面には外界と連通される斜め溝が設置され、前記斜め溝の左端壁には押出器溝が設置され、前記押出器溝の左端壁にはそれぞれ水排出導管と水入り導管とが設置され、前記押出器溝と前記斜め溝との中には水噴き出し装置が設置され、前記水噴き出し装置は押出器を含み、前記押出器の押出により水を前記水入り導管を通して吸い込み、前記水排出導管から噴き出すことを特徴とする安全保護機能を持つ浴室おもちゃ。
【請求項２】
前記固定装置は上下に二つ設置され、また二つの前記固定装置は上下に対称的であり、前記主軸と前記駆動空間の上下端壁とが回転できるように係合連結され、前記主軸の上下にあるねじ山が対称で反対であり、前記主軸にはねじ山ブロックが上下対称的にねじ山によって係合連結され、前記ねじ山ブロックの前端面にはヒンジ連結レバーが左右対称的に設置され、前記ヒンジ連結レバーには連接レバーがヒンジによって連結され、前記連接レバーのもう一端にはそれぞれ連接回転軸が回転できるように係合連結され、左右両端の前記連接回転軸にはそれぞれプッシュブロックスライド溝が固定的に連結され、前記プッシュブロックスライド溝のうち前記プッシュブロックスライド溝から離れている一端には伸縮器が設置され、前記伸縮器と前記プッシュブロックスライド溝とがスライドできるように係合連結され、前記伸縮器の中にはバネ溝が設置され、前記バネ溝の中にはバネレバーがスライドできるように係合連結され、前記バネレバーと前記バネ溝との間には戻しバネが連結され、前記バネレバーのもう一端には自在継手が設置され、前記自在継手には自在継手ブロックがスライドできるように係合連結され、前記自在継手ブロックのもう一端と前記吸盤とが固定的に連結され、その中に上端の前記主軸には頂端プーリが上下対称的に設置され、下端の前記主軸の上端には底端プーリが設置され、下端の前記主軸が下へ伸びており、前記回転空間の下端壁を貫通し外界に入り、且つ前記安定器の下端面と回転できるように係合連結され、下端の前記主軸の底端にはノブが設置され、二つの前記働き溝の上下端壁には縦軸が回転できるように係合連結され、前記縦軸の上端には縦軸上プーリが設置され、その中に左端の前記縦軸上プーリと下端の前記頂端プーリとの間には回転ベルトが連結され、その中に右端の前記縦軸上プーリと上端の前記頂端プーリとが前記回転ベルトにより連結され、前記縦軸の中端には縦軸傘歯車が設置され、その中に左端の前記縦軸の下端には縦軸下プーリが設置され、前記縦軸下プーリと前記底端プーリとの間には下プーリが連結され、前記ノブを回転し前記ねじ山ブロックを連動させ互いに近づかせ、それにより前記吸盤を押し出して湯船に吸着させ、その作用は前記安定器を固定するのであることを特徴とする請求項１に記載の安全保護機能を持つ浴室おもちゃ。
【請求項３】
前記座席装置は座席板を含み、前記座席板と前記働き空間の下端面とが固定的に連結され、前記座席板の前端面には席スライド溝が設置され、前記席スライド溝の中には席スライドブロックがスライドできるように係合連結され、前記席スライドブロックと前記座席とが固定的に連結され、前記矩形スライド溝の中には矩形スライドブロックがスライドできるように係合連結され、前記矩形スライドブロックの中には親ねじがねじ山によって係合連結され、前記親ねじのもう一端には親ねじ傘歯車が設置され、前記親ねじ傘歯車と前記縦軸傘歯車とが噛み合い、二つの前記親ねじのねじ山が反対であり、前記矩形スライドブロックのうち前記働き空間に近接する一端には固定ヘッドが設置され、前記固定ヘッドが前記座席を固定することに用いられ、前記縦軸が回転し前記固定ヘッドを連動させ前記座席に近づかせ、最後に前記座席を前後に移動できないように固定し、その作用は前記座席を固定するのであることを特徴とする請求項２に記載の安全保護機能を持つ浴室おもちゃ。
【請求項４】
前記水噴き出し装置はサポートロッドを含み、前記サポートロッドと前記安定器の上端面とが固定的に連結され、前記サポートロッドの前後端面には回転盤軸が回転できるように係合連結され、前記回転盤軸の右端面には回転盤が設置され、前記回転盤軸の左端面には回転盤プーリが設置され、前記斜め溝の左右端壁にはカム軸が回転できるように係合連結され、前記カム軸の右端にはカム軸プーリが設置され、前記カム軸プーリと前記回転盤プーリには制御ベルトが連結され、前記カム軸の左端にはカムが設置され、前記押出器と前記押出器溝の前端壁とが固定的に連結され、前記水排出導管と前記水入り導管との間には逆止弁装置が中心として対称的に設置され、前記水排出導管のを例として説明し、前記水排出導管の上下端壁には逆止板が設置され、前記逆止板の右端面には逆止ロッドが設置され、前記逆止ロッドの右端には逆止ボールが設置され、前記逆止ボールと前記逆止ロッドとの間には逆止バネが連結され、前記水排出導管の上下端壁には仕切り板が対称的に設置され、前記水排出導管の上端面には水噴き出しヘッドが設置され、その作用は水を噴き出すことで子供に遊ばれるのであることを特徴とする請求項１に記載の安全保護機能を持つ浴室おもちゃ。
【手続補正２】
【補正対象書類名】明細書
【補正対象項目名】全文
【補正方法】変更
【補正の内容】
【発明の詳細な説明】
【技術分野】
【０００１】
本発明は子供のおもちゃ分野に関わり、具体的には安全保護機能を持つ浴室おもちゃである。
【背景技術】
【０００２】
今まで、二人の子供がいる家庭は多くなるに連れて、子供がますます多くなり、子供用品の発展も速やかになり、子供は湯船でお風呂に入る時、多くのおもちゃを遊び、しかし伝統的な湯船は子供の安全を保護する措置がなく、子供が一人で湯船の中で遊ぶ時に負傷しやすい。
【先行技術文献】
【特許文献】
【０００３】
【特許文献１】中国特許出願公開第１０２４４１２８２号明細書
【発明の概要】
【発明が解決しようとする課題】
【０００４】
本発明は安全保護機能を持つ浴室おもちゃを提供し、上記背景技術にある問題を解決することを目的とする。
【課題を解決するための手段】
【０００５】
上記の目的を実現するため、本発明は以下の技術方案を提供する：安全保護機能を持つ浴室おもちゃは安定器を含み、前記安定器の中には駆動空間が設置され、前記駆動空間の左右端壁には働き溝が対称的に設置され、左端の前記働き溝の右端壁には連通溝が設置され、前記連通溝の右端壁には回転空間が設置され、前記回転空間と前記駆動空間との中には固定装置が対称的に設置され、前記固定装置は主軸と吸盤とを含み、前記主軸が回転し前記吸盤を連動させて外へ移動させ、それにより前記安定器を湯船と固定し、前記駆動空間と前記回転空間の左右端壁にはそれぞれプッシュブロックスライド溝が対称的に設置され、前記プッシュブロックスライド溝の左右端壁には吸盤溝が対称的に設置され、前記吸盤溝が外界と連通され、前記駆動空間と前記回転空間との間には働き空間が設置され、前記働き空間の中には座席装置が設置され、前記座席装置は座席を含み、前記座席装置が前記座席を通じて座席の位置を調整し、前記座席の左右端壁には前記働き溝と連通される矩形スライド溝が対称的に設置され、前記安定器の上端面には外界と連通される斜め溝が設置され、前記斜め溝の左端壁には押出器溝が設置され、前記押出器溝の左端壁にはそれぞれ水排出導管と水入り導管とが設置され、前記押出器溝と前記斜め溝との中には水噴き出し装置が設置され、前記水噴き出し装置は押出器を含み、前記押出器の押出により水を前記水入り導管を通して吸い込み、前記水排出導管から噴き出す。
【０００６】
好ましくは、前記固定装置は上下に二つ設置され、また二つの前記固定装置は上下に対称的であり、前記主軸と前記駆動空間の上下端壁とが回転できるように係合連結され、前記主軸の上下にあるねじ山が対称で反対であり、前記主軸にはねじ山ブロックが上下対称的にねじ山によって係合連結され、前記ねじ山ブロックの前端面にはヒンジ連結レバーが左右対称的に設置され、前記ヒンジ連結レバーには連接レバーがヒンジによって連結され、前記連接レバーのもう一端にはそれぞれ連接回転軸が回転できるように係合連結され、左右両端の前記連接回転軸にはそれぞれプッシュブロックスライド溝が固定的に連結され、前記プッシュブロックスライド溝のうち前記プッシュブロックスライド溝から離れている一端には伸縮器が設置され、前記伸縮器と前記プッシュブロックスライド溝とがスライドできるように係合連結され、前記伸縮器の中にはバネ溝が設置され、前記バネ溝の中にはバネレバーがスライドできるように係合連結され、前記バネレバーと前記バネ溝との間には戻しバネが連結され、前記バネレバーのもう一端には自在継手が設置され、前記自在継手には自在継手ブロックがスライドできるように係合連結され、前記自在継手ブロックのもう一端と前記吸盤とが固定的に連結され、その中に上端の前記主軸には頂端プーリが上下対称的に設置され、下端の前記主軸の上端には底端プーリが設置され、下端の前記主軸が下へ伸びており、前記回転空間の下端壁を貫通し外界に入り、且つ前記安定器の下端面と回転できるように係合連結され、下端の前記主軸の底端にはノブが設置され、二つの前記働き溝の上下端壁には縦軸が回転できるように係合連結され、前記縦軸の上端には縦軸上プーリが設置され、その中に左端の前記縦軸上プーリと下端の前記頂端プーリとの間には回転ベルトが連結され、その中に右端の前記縦軸上プーリと上端の前記頂端プーリとが前記回転ベルトにより連結され、前記縦軸の中端には縦軸傘歯車が設置され、その中に左端の前記縦軸の下端には縦軸下プーリが設置され、前記縦軸下プーリと前記底端プーリとの間には下プーリが連結され、前記ノブを回転し前記ねじ山ブロックを連動させ互いに近づかせ、それにより前記吸盤を押し出して湯船に吸着させ、その作用は前記安定器を固定するのである。
【０００７】
好ましくは、前記座席装置は座席板を含み、前記座席板と前記働き空間の下端面とが固定的に連結され、前記座席板の前端面には席スライド溝が設置され、前記席スライド溝の中には席スライドブロックがスライドできるように係合連結され、前記席スライドブロックと前記座席とが固定的に連結され、前記矩形スライド溝の中には矩形スライドブロックがスライドできるように係合連結され、前記矩形スライドブロックの中には親ねじがねじ山によって係合連結され、前記親ねじのもう一端には親ねじ傘歯車が設置され、前記親ねじ傘歯車と前記縦軸傘歯車とが噛み合い、二つの前記親ねじのねじ山が反対であり、前記矩形スライドブロックのうち前記働き空間に近接する一端には固定ヘッドが設置され、前記固定ヘッドが前記座席を固定することに用いられ、前記縦軸が回転し前記固定ヘッドを連動させ前記座席に近づかせ、最後に前記座席を前後に移動できないように固定し、その作用は前記座席を固定するのである。
【０００８】
好ましくは、前記水噴き出し装置はサポートロッドを含み、前記サポートロッドと前記安定器の上端面とが固定的に連結され、前記サポートロッドの前後端面には回転盤軸が回転できるように係合連結され、前記回転盤軸の右端面には回転盤が設置され、前記回転盤軸の左端面には回転盤プーリが設置され、前記斜め溝の左右端壁にはカム軸が回転できるように係合連結され、前記カム軸の右端にはカム軸プーリが設置され、前記カム軸プーリと前記回転盤プーリには制御ベルトが連結され、前記カム軸の左端にはカムが設置され、前記押出器と前記押出器溝の前端壁とが固定的に連結され、前記水排出導管と前記水入り導管との間には逆止弁装置が中心として対称的に設置され、前記水排出導管のを例として説明し、前記水排出導管の上下端壁には逆止板が設置され、前記逆止板の右端面には逆止ロッドが設置され、前記逆止ロッドの右端には逆止ボールが設置され、前記逆止ボールと前記逆止ロッドとの間には逆止バネが連結され、前記水排出導管の上下端壁には仕切り板が対称的に設置され、前記水排出導管の上端面には水噴き出しヘッドが設置され、その作用は水を噴き出すことで子供に遊ばれるのである。
【発明の効果】
【０００９】
以上により、本発明の有益な効果は：本装置はサイズが異なる湯船の内壁に固定されることができ、また子供の肥痩により座席の間の距離を調節でき、子供をしっかりと席に固定し、子供が転んだり傷ついたりすることを防止でき、それと同時に水噴き出し装置は子供により多くな娯楽をもたらし、それにより子供がお風呂に入る時に楽しく遊び、本装置は機械の伝動係合により、ミスする可能性を下げる。
【図面の簡単な説明】
【００１０】
発明の実施例または既存の技術の中の技術方案をより詳しく説明できるため、下記には実施例または既存の技術を説明することに必要な付図に対して簡単な紹介を行い、明らかなように、下記の付図はただ発明の一部分の実施例であり、当業者にとって、創造的な労働を払わなくても、これらの付図に基づいて他の付図を獲得することができる。
【００１１】
【図１】図１は本発明の安全保護機能を持つ浴室おもちゃの全体断面の正面構成概略図である；
【図２】図２は本発明の図１の中のＢ−Ｂ方向の断面図である；
【図３】図３は本発明の図１の中Ａのところの部分拡大図である。
【発明を実施するための形態】
【００１２】
本説明書に開示したすべての特徴、または開示したすべての方法または過程中のステップは、互いに排斥する特徴と／またはステップ以外に、いずれもあらゆる方式で組み合わせることができる。
【００１３】
本説明書に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００１４】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
図１−３を参照し、本発明の実施例は：安全保護機能を持つ浴室おもちゃは安定器１００を含み、前記安定器１００の中には駆動空間２１が設置され、前記駆動空間２１の左右端壁には働き溝４０が対称的に設置され、左端の前記働き溝４０の右端壁には連通溝３４が設置され、前記連通溝３４の右端壁には回転空間３７が設置され、前記回転空間３７と前記駆動空間２１との中には固定装置１０１が対称的に設置され、前記固定装置１０１は主軸５４と吸盤２４とを含み、前記主軸５４が回転し前記吸盤２４を連動させて外へ移動させ、それにより前記安定器１００を湯船と固定し、前記駆動空間２１と前記回転空間３７の左右端壁にはそれぞれプッシュブロックスライド溝４５が対称的に設置され、前記プッシュブロックスライド溝４５の左右端壁には吸盤溝２２が対称的に設置され、前記吸盤溝２２が外界と連通され、前記駆動空間２１と前記回転空間３７との間には働き空間２６が設置され、前記働き空間２６の中には座席装置１０２が設置され、前記座席装置１０２は座席２７を含み、前記座席装置１０２が前記座席２７を通じて座席の位置を調整し、前記座席２７の左右端壁には前記働き溝４０と連通される矩形スライド溝７７が対称的に設置され、前記安定器１００の上端面には外界と連通される斜め溝６７が設置され、前記斜め溝６７の左端壁には押出器溝６０が設置され、前記押出器溝６０の左端壁にはそれぞれ水排出導管５６と水入り導管５８とが設置され、前記押出器溝６０と前記斜め溝６７との中には水噴き出し装置１０３が設置され、前記水噴き出し装置１０３は押出器５９を含み、前記押出器５９の押出により水を前記水入り導管５８を通して吸い込み、前記水排出導管５６から噴き出す。
【００１６】
有益なように、前記固定装置１０１は上下に二つ設置され、また二つの前記固定装置は上下に対称的であり、前記主軸５４と前記駆動空間２１の上下端壁とが回転できるように係合連結され、前記主軸５４の上下にあるねじ山が対称で反対であり、前記主軸５４にはねじ山ブロック５３が上下対称的にねじ山によって係合連結され、前記ねじ山ブロック５３の前端面にはヒンジ連結レバー５２が左右対称的に設置され、前記ヒンジ連結レバー５２には連接レバー５１がヒンジによって連結され、前記連接レバー５１のもう一端にはそれぞれ連接回転軸５０が回転できるように係合連結され、左右両端の前記連接回転軸５０にはそれぞれプッシュブロックスライド溝４９が固定的に連結され、前記プッシュブロックスライド溝４９のうち前記プッシュブロックスライド溝４９から離れている一端には伸縮器４８が設置され、前記伸縮器４８と前記プッシュブロックスライド溝４５とがスライドできるように係合連結され、前記伸縮器４８の中にはバネ溝４４が設置され、前記バネ溝４４の中にはバネレバー４６がスライドできるように係合連結され、前記バネレバー４６と前記バネ溝４４との間には戻しバネ４７が連結され、前記バネレバー４６のもう一端には自在継手２３が設置され、前記自在継手２３には自在継手ブロック２５がスライドできるように係合連結され、前記自在継手ブロック２５のもう一端と前記吸盤２４とが固定的に連結され、その中に上端の前記主軸５４には頂端プーリ４１が上下対称的に設置され、下端の前記主軸５４の上端には底端プーリ３６が設置され、下端の前記主軸５４が下へ伸びており、前記回転空間３７の下端壁を貫通し外界に入り、且つ前記安定器１００の下端面と回転できるように係合連結され、下端の前記主軸５４の底端にはノブ５７が設置され、二つの前記働き溝４０の上下端壁には縦軸３９が回転できるように係合連結され、前記縦軸３９の上端には縦軸上プーリ４３が設置され、その中に左端の前記縦軸上プーリ４３と下端の前記頂端プーリ４１との間には回転ベルト４２が連結され、その中に右端の前記縦軸上プーリ４３と上端の前記頂端プーリ４１とが前記回転ベルト４２により連結され、前記縦軸３９の中端には縦軸傘歯車２８が設置され、その中に左端の前記縦軸３９の下端には縦軸下プーリ３３が設置され、前記縦軸下プーリ３３と前記底端プーリ３６との間には下プーリ３５が連結され、前記ノブ５７を回転し前記ねじ山ブロック５３を連動させ互いに近づかせ、それにより前記吸盤２４を押し出して湯船に吸着させ、その作用は前記安定器１００を固定するのである。
【００１７】
有益なように、前記座席装置１０２は座席板３８を含み、前記座席板３８と前記働き空間２６の下端面とが固定的に連結され、前記座席板３８の前端面には席スライド溝６１が設置され、前記席スライド溝６１の中には席スライドブロック６２がスライドできるように係合連結され、前記席スライドブロック６２と前記座席２７とが固定的に連結され、前記矩形スライド溝７７の中には矩形スライドブロック３１がスライドできるように係合連結され、前記矩形スライドブロック３１の中には親ねじ３０がねじ山によって係合連結され、前記親ねじ３０のもう一端には親ねじ傘歯車２９が設置され、前記親ねじ傘歯車２９と前記縦軸傘歯車２８とが噛み合い、二つの前記親ねじ３０のねじ山が反対であり、前記矩形スライドブロック３１のうち前記働き空間２６に近接する一端には固定ヘッド３２が設置され、前記固定ヘッド３２が前記座席２７を固定することに用いられ、前記縦軸３９が回転し前記固定ヘッド３２を連動させ前記座席２７に近づかせ、最後に前記座席２７を前後に移動できないように固定し、その作用は前記座席２７を固定するのである。
【００１８】
有益なように、前記水噴き出し装置１０３はサポートロッド６３を含み、前記サポートロッド６３と前記安定器１００の上端面とが固定的に連結され、前記サポートロッド６３の前後端面には回転盤軸６５が回転できるように係合連結され、前記回転盤軸６５の右端面には回転盤６４が設置され、前記回転盤軸６５の左端面には回転盤プーリ６６が設置され、前記斜め溝６７の左右端壁にはカム軸７０が回転できるように係合連結され、前記カム軸７０の右端にはカム軸プーリ７１が設置され、前記カム軸プーリ７１と前記回転盤プーリ６６には制御ベルト６８が連結され、前記カム軸７０の左端にはカム６９が設置され、前記押出器５９と前記押出器溝６０の前端壁とが固定的に連結され、前記水排出導管５６と前記水入り導管５８との間には逆止弁装置７９が中心として対称的に設置され、前記水排出導管５６のを例として説明し、前記水排出導管５６の上下端壁には逆止板７３が設置され、前記逆止板７３の右端面には逆止ロッド７２が設置され、前記逆止ロッド７２の右端には逆止ボール７４が設置され、前記逆止ボール７４と前記逆止ロッド７２との間には逆止バネ７５が連結され、前記水排出導管５６の上下端壁には仕切り板７６が対称的に設置され、前記水排出導管５６の上端面には水噴き出しヘッド５５が設置され、その作用は水を噴き出すことで子供に遊ばれるのである。
【００１９】
使用する時に、まず座席２７の位置を調節し、ノブ５７を回転させ、それにより下端の主軸５４と、底端プーリ３６と、縦軸下プーリ３３と、縦軸３９と、縦軸上プーリ４３と上端の主軸５４とを回転連動させ、それによりねじ山ブロック５３を二つずつ互いに近づかせ、それによりバネレバー４６と、自在継手２３と、自在継手ブロック２５と吸盤２４とを湯船の内壁まで押し出して固定し、そしてノブ５７を回転させ続け、縦軸傘歯車２８が親ねじ傘歯車２９と親ねじ３０とを回転連動させ、それにより矩形スライドブロック３１と固定ヘッド３２とを座席２７のところに移動させ、座席２７をきつく挟み、そして子供が座席２７に座って遊び、回転盤６４を回転させることにより、回転盤軸６５と、回転盤プーリ６６と、カム軸プーリ７１と、カム軸７０と、カム６９とを回転連動させ、押出器５９を絶え間なく押し、それにより水を水入り導管５８から押出器５９に吸入し、それから水排出導管５６と水噴き出しヘッド５５から噴き出す。
【００２０】
本発明の有益な効果は：本装置はサイズが異なる湯船の内壁に固定されることができ、また子供の肥痩により座席の間の距離を調節でき、子供をしっかりと席に固定し、子供が転んだり傷ついたりすることを防止でき、それと同時に水噴き出し装置は子供により多くな娯楽をもたらし、それにより子供がお風呂に入る時に楽しく遊び、本装置は機械の伝動係合により、ミスする可能性を下げる。
【００２１】
以上は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は請求項に限定した保護範囲を基準とするべきである。